(57)【要約】【課題】撮影者の好みにあったテキストを、画像に対して容易に付与し得る撮像装置等を提供する。【解決手段】  保存画の構図を決定するためのファインダー表示部（２６）と、前記ファインダー表示部に表示させるスルー画を生成するスルー画生成部（１６，４２）と、前記スルー画に関連するテキストを生成するテキスト生成部（４４）と、前記ファインダー表示部の表示状態を、前記テキストが前記スルー画に重ねて表示されるテキスト表示状態と、前記テキストが表示されないテキスト非表示状態に、切り換え可能な表示コントロール部（２１）と、タイミング入力部（２４）からのタイミング情報が入力された時における前記ファインダー表示部の前記表示状態に応じて、前記保存画と前記テキストとの関連付けを変更して、前記保存画を記憶部に保存する保存画処理部（４８）と、を有する撮像装置。【選択図】図７
2014138325.tif 000002
【特許請求の範囲】
【請求項１】
保存画の構図を決定するためのファインダー表示部と、
前記ファインダー表示部に表示させるスルー画を生成するスルー画生成部と、
前記スルー画に関連するテキストを生成するテキスト生成部と、
前記ファインダー表示部の表示状態を、前記テキストが前記スルー画に重ねて表示されるテキスト表示状態と、前記テキストが表示されないテキスト非表示状態に、切り換え可能な表示コントロール部と、
タイミング入力部からのタイミング情報が入力された時における前記ファインダー表示部の前記表示状態に応じて、前記保存画と前記テキストとの関連付けを変更して、前記保存画を記憶部に保存する保存画処理部と、を有する撮像装置。
【請求項２】
請求項１に記載された撮像装置であって、
前記保存画処理部は、前記テキスト表示状態の時に前記タイミング情報が入力された場合、前記テキストと関連付けて前記保存画を保存し、前記テキスト非表示状態の時に前記タイミング情報が入力された場合、前記テキストと関連付けないで前記保存画を保存することを特徴とする撮像装置。
【請求項３】
請求項１又は請求項２に記載された撮像装置であって、
前記テキスト生成部は、フォーカス位置を決定する旨の情報を取得した後、構図が安定した旨の情報を取得した後又は手振れが安定した旨の情報を取得した後に、前記テキストの生成を開始することを特徴とする撮像装置。
【請求項４】
請求項１から請求項３までのいずれか１項に記載された撮像装置であって、
前記表示コントロール部は、前記テキスト表示状態と前記テキスト非表示状態とを交互に切り換えることを特徴とする撮像装置。
【請求項５】
請求項１から請求項４までのいずれか１項に記載された撮像装置であって、
前記表示コントロール部は、前記ファインダー表示部の前記表示状態を、前記テキストが第１の表示態様で前記スルー画に重ねて表示される第１表示状態と、前記テキストが前記第１の表示態様とは異なる第２の表示態様で前記スルー画に重ねて表示される第２表示状態に、切り換え可能であり、
前記保存画処理部は、前記第１の表示態様又は前記第２の表示態様を、前記保存画と関連付けて保存可能であることを特徴とする撮像装置。
【請求項６】
請求項１から請求項５までのいずれか１項に記載された撮像装置であって、
前記テキスト生成部が生成する前記テキストは、互いに異なる文字群によって構成される第３テキスト及び第４テキストを含み、
前記表示コントロール部は、前記ファインダー表示部の前記表示状態を、前記第３テキストが前記スルー画に重ねて表示される第３表示状態と、前記第４テキストが前記スルー画に重ねて表示される第４表示状態に、切り換え可能であることを特徴とする撮像装置。
【請求項７】
請求項１から請求項６までのいずれか１項に記載された撮像装置であって、
前記テキスト生成部は、フォーカス状態が変化した旨の情報を取得した後、構図が変化した旨の情報を取得した後又は手振れの状態が変化した旨の情報を取得した後に、前記テキストの生成をやり直すことを特徴とする撮像装置。
【請求項８】
請求項１から請求項７までのいずれか１項に記載された撮像装置であって、
前記テキスト生成部が生成する前記テキストは、第５スルー画に基づき生成された第５テキストと、前記第５スルー画とは異なる第６スルー画に基づき生成された第６テキストとを含み、
前記保存画処理部は、前記第５スルー画又は前記第６スルー画の構図情報を、前記保存画に関連付けて保存することを特徴とする撮像装置。
【請求項９】
保存画の構図を決定するためのファインダー表示部を有する撮像装置を制御するプログラムであって、
コンピュータに、
前記ファインダー表示部に表示させるスルー画を生成する処理と、
前記スルー画に基づきテキストを生成する処理と、
前記ファインダー表示部の表示状態を、前記テキストが前記スルー画に重ねて表示されるテキスト表示状態と、前記テキストが表示されないテキスト非表示状態に切り換える処理と、
タイミング入力部からのタイミング情報が入力された時における前記ファインダー表示部の前記表示状態に応じて、前記保存画と前記テキストとの関連付けを変更して、前記保存画を記憶部に保存する処理と、を実行させるプログラム。
【発明の詳細な説明】
【技術分野】
【０００１】
本発明は、ファインダー表示部に表示させるスルー画からテキストを生成できる撮像装置及びこのような撮像装置を制御するプログラムに関する。
【背景技術】
【０００２】
画像データを解析した解析結果と、画像データに含まれる撮像情報等に基づいて、画像データに対するテキストを生成する技術が提案されている（特許文献１等参照）。また、静止画等の撮影画像の構図を決定するためのファインダーとして、カメラの背面等に取り付けられた液晶パネルや、カメラに内蔵された表示素子を用いて、いわゆるスルー画を表示するものが提案されている。
【先行技術文献】
【特許文献】
【０００３】
【特許文献１】特開２０１０−２０６２３９号公報
【発明の概要】
【発明が解決しようとする課題】
【０００４】
テキストを生成する従来のカメラでは、撮影者が画像へのテキストの付与をやめたり、付与されたテキストとは別のテキストを付与したいような場合、新たな操作が必要となり、手間がかかるという問題を有している。
【０００５】
このような実状に鑑みて、本発明の目的は、画像に対するテキスト付与に関して撮影者に選択肢を与え、撮影者の好みにあったテキストを、画像に対して容易に付与し得る撮像装置及びプログラムを提供することである。
【課題を解決するための手段】
【０００６】
上述のような課題を解決するために、本発明に係る撮像装置は、保存画の構図を決定するためのファインダー表示部（２６）と、
前記ファインダー表示部に表示させるスルー画を生成するスルー画生成部（１６，４２）と、
前記スルー画に関連するテキストを生成するテキスト生成部（４４）と、
前記ファインダー表示部の表示状態を、前記テキストが前記スルー画に重ねて表示されるテキスト表示状態（６１）と、前記テキストが表示されないテキスト非表示状態（６２）に、切り換え可能な表示コントロール部（２１）と、
タイミング入力部（３１）からのタイミング情報が入力された時における前記ファインダー表示部の前記表示状態に応じて、前記保存画と前記テキストとの関連付けを変更して、前記保存画を記憶部に保存する保存画処理部（４８）と、を有する。
【０００７】
また、例えば、前記保存画処理部は、前記テキスト表示状態の時に前記タイミング情報が入力された場合、前記テキストと関連付けて前記保存画を保存しても良く、前記テキスト非表示状態の時に前記タイミング情報が入力された場合、前記テキストと関連付けないで前記保存画を保存しても良い。
【０００８】
また、例えば、前記テキスト生成部は、フォーカス位置を決定する旨の情報を取得した後、構図が安定した旨の情報を取得した後又は手振れが安定した旨の情報を取得した後に、前記テキストの生成を開始しても良い。
【０００９】
また、例えば、前記表示コントロール部は、前記テキスト表示状態と前記テキスト非表示状態とを交互に切り換えても良い。
【００１０】
また、例えば、前記表示コントロール部は、前記ファインダー表示部の前記表示状態を、前記テキストが第１の表示態様で前記スルー画に重ねて表示される第１表示状態（６１）と、前記テキストが前記第１の表示態様とは異なる第２の表示態様で前記スルー画に重ねて表示される第２表示状態（６３）に、切り換え可能であっても良く、
前記保存画処理部は、前記第１の表示態様又は前記第２の表示態様を、前記保存画と関連付けて保存可能であっても良い。
【００１１】
また、例えば、前記テキスト生成部が生成する前記テキストは、互いに異なる文字群によって構成される第３テキスト及び第４テキストを含んでも良く、
前記表示コントロール部は、前記ファインダー表示部の前記表示状態を、前記第３テキストが前記スルー画に重ねて表示される第３表示状態（７１）と、前記第４テキストが前記スルー画に重ねて表示される第４表示状態（７３）に、切り換え可能であっても良い。
【００１２】
また、例えば、前記テキスト生成部は、フォーカス状態が変化した旨の情報を取得した後、構図が変化した旨の情報を取得した後又は手振れの状態が変化した旨の情報を取得した後に、前記テキストの生成をやり直しても良い。
【００１３】
また、例えば、前記テキスト生成部が生成する前記テキストは、第５スルー画に基づき生成された第５テキスト（５４）と、前記第５スルー画とは異なる第６スルー画に基づき生成された第６テキスト（５８）とを含んでも良く、
前記保存画処理部は、前記第５スルー画又は前記第６スルー画の構図情報を、前記保存画に関連付けて保存しても良い。
【００１４】
本発明に係るプログラムは、保存画の構図を決定するためのファインダー表示部を有する撮像装置を制御するプログラムであって、
コンピュータに、
前記ファインダー表示部に表示させるスルー画を生成する処理と、
前記スルー画に基づきテキストを生成する処理と、
前記ファインダー表示部の表示状態を、前記テキストが前記スルー画に重ねて表示されるテキスト表示状態と、前記テキストが表示されないテキスト非表示状態に切り換える処理と、
タイミング入力部からのタイミング情報が入力された時における前記ファインダー表示部の前記表示状態に応じて、前記保存画と前記テキストとの関連付けを変更して、前記保存画を記憶部に保存する処理と、を実行させる。
【００１５】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【図面の簡単な説明】
【００１６】
【図１】図１は、本発明の一実施形態に係る撮像装置の概略ブロック図である。
【図２】図２は、図１に示す撮像装置に含まれる画像処理部周辺の構成を表す概略ブロック図である。
【図３】図３は、図１に示す撮像装置で行われる撮像処理の一例を表すフローチャートである。
【図４】図４は、図２に示すスルー画生成部における処理の一例を表すフローチャートである。
【図５】図５は、図２に示すテキスト生成部における処理の一例を表すフローチャートである。
【図６】図６は、図２に示す表示コントロール部における処理の一例を表すフローチャートである。
【図７】図７は、第１実施例における表示状態の変化を表す概念図である。
【図８】図８は、第１実施例において生成されたテキスト情報を表す概念図である。
【図９】図９は、第１実施例における保存画、保存テキスト情報及びこれらの再生状態の一例を表す概念図である。
【図１０】図１０は、第１実施例における保存画、保存テキスト情報及びこれらの再生状態の他の一例を表す概念図である。
【図１１】図１１は、第２実施例における表示状態の変化を表す概念図である。
【図１２】図１２は、第２実施例において生成されたテキスト情報を表す概念図である。
【図１３】図１３は、第２実施例における保存画及び保存テキスト情報を表す概念図である。
【図１４】図１４は、第２実施例における保存画及び保存テキスト情報の再生状態を表す概念図である。
【図１５】図１５は、第３実施例における表示状態の変化を表す概念図である。
【図１６】図１６は、第３実施例において生成されたテキスト情報を表す概念図である。
【図１７】図１７は、第３実施例における保存画及び保存テキスト情報を表す概念図である。
【図１８】図１８は、第３実施例における保存画及び保存テキスト情報の再生状態を表す概念図である。
【発明を実施するための形態】
【００１７】
図１は、本発明の一実施形態に係る撮像装置１０の概略ブロック図である。撮像装置１０は、撮像部１２、振れ補正機構１９、カメラ制御部２０、操作部２４、角速度センサ２５、画像処理部４０、表示部２６、記憶部２８、バッファメモリ部３０、通信部３２、メモリカード（記憶媒体）３４等を有しており、各部分は、バス２７を介して相互に通信することができる。
【００１８】
撮像部１２は、光学系１４、撮像素子１６、Ａ／Ｄ変換部１８等を有しており、画像データを生成する。光学系１４は、１又は２以上のレンズを備え、レンズに入射した光の像を、撮像素子１６の受光面に形成する。
【００１９】
撮像素子１６は、例えばＣＣＤやＣＭＯＳ等の固体撮像素子によって構成され、光学系１４を介して受光面に結像した光学像を、電気信号に変換する。撮像素子１６は、生成した電気信号を、Ａ／Ｄ変換部１８に出力する。Ａ／Ｄ変換部１８は、撮像素子１６によって生成された電気信号に対して、アナログ／デジタル変換等を行い、カメラ制御部２０及び画像処理部４０等で処理可能な画像データを生成する。
【００２０】
撮像部１２による画像データの生成動作は、カメラ制御部２０における撮像制御部２９によって制御される。例えば、撮像部１２は、撮像制御部２９による制御により、操作部２４等を介して撮影開始情報が入力されたタイミングで、撮像素子１６による光電変換を行い、いわゆる静止画を生成することができる。また、撮像部１２は、撮像制御部２９による制御により、操作部２４等を介して動画撮影開始情報が入力されたタイミングで、連続的な光電変換を行い、いわゆる動画を生成することができる。動画や静止画のような保存画の画像データは、撮像部１２で生成された後、カメラ制御部２０の制御により、バッファメモリ部３０及び画像処理部４０を介して、メモリカード３４に保存される。
【００２１】
また、撮像部１２は、保存画の他に、操作部２４等からの操作信号が入力されていない状態で、自動的に画像データの生成を行い、いわゆるスルー画を生成することもできる。後述するように、撮像装置１０では、背面液晶パネルによって構成される表示部２６が、保存画の構図を決定するためのファインダー表示部として機能する。したがって、撮像部１２で生成されたスルー画は、画像処理部４０におけるスルー画処理部４２において処理がなされたのち、カメラ制御部２０における表示コントロール部２１の制御により、表示部２６に表示される。
【００２２】
振れ補正機構１９は、角速度センサ２５からの角速度信号等に基づき、カメラ制御部２０によって制御され、手振れ等に伴う画像のブレを補正するように、光学系１４を駆動する。振れ補正機構１９は、例えば光学系１４の一部である振れ補正レンズに取り付けられており、振れ補正レンズを光軸と垂直な方向に駆動するボイスコイルモータ等によって構成される。角速度センサ２５は、手振れ等に伴い撮像装置１０に生じる角速度を検知し、カメラ制御部２０に角速度信号を出力する。
【００２３】
画像処理部４０は、メモリカード３４又はバッファメモリ部３０に記憶されている画像データに対して、各種の画像処理を実行する。画像処理部４０は、撮像部１２で生成された静止画、動画、スルー画等について画像処理を行う他、メモリカード３４等に保存されている撮像部１２以外で生成された画像データについても、画像処理を行うことができる。画像処理部４０は、各種補正処理や、データの圧縮及び変換、顔認識や色の抽出などを行うことができるが、画像処理部４０の詳細については、後ほど述べる。
【００２４】
表示部２６は、液晶ディスプレイ等で構成されており、カメラ制御部２０における表示コントロール部２１の制御に従って、画像データや、操作メニュー等を表示する。また、表示部２６は、表示コントロール部２１による制御によってスルー画を表示することができ、保存画の構図を決定するためのファインダー表示部として機能する。記憶部２８には、撮像装置１０の制御に用いる撮影条件、画像処理条件、再生制御条件、表示制御条件、記録制御条件、入出力制御条件など、各種の情報が記憶されている。カメラ制御部２０や画像処理部４０は、必要に応じて、記憶部２８に記憶されている情報を読み出し、演算処理に利用することができる。記憶部２８は、ＲＯＭ等によって構成される。
【００２５】
バッファメモリ部３０は、カメラ制御部２０及び画像処理部４０が演算処理を実施する際の作業領域として利用される。例えば、画像処理部４０が画像データに対して画像処理を行う場合、処理の対象となる画像データは、記憶媒体から読み出され、バッファメモリ部３０に一次的に格納される。バッファメモリ部３０は、ＲＡＭ等によって構成される。
【００２６】
操作部２４は、操作者が撮像装置１０に対して情報を入力するためのスイッチ等を有している。操作部２４は、電源スイッチ、レリーズスイッチ３１、モードスイッチ、メニュースイッチ、選択キー等を備えており、操作者の操作に対応した信号を、カメラ制御部２０に出力する。
【００２７】
例えば、操作部２４のレリーズスイッチ３１は、保存画の取得開始に関するタイミング情報を入力するためのタイミング入力部として機能し、撮像装置１０の操作者がレリーズスイッチ３１を全押しした時、レリーズ開始信号をカメラ制御部２０に出力する。また、レリーズスイッチ３１は、フォーカス状態を変更するための信号入力部としても機能する。レリーズスイッチ３１は、撮像装置１０の操作者がレリーズスイッチ３１を半押しした時、フォーカス位置固定信号をカメラ制御部２０に出力し、操作者がレリーズスイッチ３１の半押しを解除したとき、フォーカス位置固定解除信号をカメラ制御部２０に出力する。
【００２８】
通信部３２は、メモリカード３４を取り付けるスロットや、他の情報機器と通信を行うための送受信部等を有しており、撮像装置１０は、通信部３２を介して、メモリカード３４や他の情報機器から情報を取得できる。また、カメラ制御部２０及び画像処理部４０（保存画処理部４８）は、通信部３２を介してメモリカード３４に画像データを出力し、メモリカード３４に画像データを保存することができる。
【００２９】
メモリカード３４は、通信部３２を介して着脱自在に接続される記憶媒体であり、撮像部１２で生成された保存画等を記憶することができる。画像データをメモリカード３４に保存する際のファイル形式は特に限定されないが、例えば画像データは、画像データに関連する他の情報と共に、イグジフ（Ｅｘｉｆ）形式のファイルとして、メモリカード３４に保存される。
【００３０】
カメラ制御部２０は、撮像装置１０が備えている各部分の制御を行う。カメラ制御部２０は、撮像制御部２９、表示コントロール部２１、手振れ判定部２２及び構図判定部２３等を有する。撮像制御部２９は、撮像部１２における撮像動作の制御を行う。例えば、撮像制御部２９は、操作部２４等からの操作信号に基づき、撮像部１２にスルー画や保存画の生成を実施させることができる。表示コントロール部２１は、表示部２６の表示状態を制御する。表示コントロール部２１は、撮像部１２等で生成されたスルー画及び保存画等の画像データや、画像処理部４０で生成されたテキスト情報を用いて、表示部２６に様々な表示を行わせることができる。
【００３１】
手振れ判定部２２は、角速度センサ２５等からの角速度信号に基づき、撮像装置１０に生じている手振れの大小を判断する。また、構図判定部は、撮像部１２によって生成されるスルー画の解析情報等から、撮影者が撮影の構図を探索している状態であるか、撮影者が撮影の構図を決定してレリーズのタイミングを図っている状態であるかを、判定する。その他、カメラ制御部２０は、撮像装置１０内の各部分に対する電力の供給や、振れ補正機構１９の駆動を制御する。
【００３２】
カメラ制御部２０は、例えばマイクロプロセッサ等によって構成されるが、カメラ制御部２０と画像処理部４０の演算処理は、共通のマイクロプロセッサで行われても良く、また、別個の電子回路で行われても良い。
【００３３】
図２は、図１に示す撮像装置１０のうち、スルー画からテキスト情報を生成及び表示する処理に関連が深い部分を抜き出した概略ブロック図である。図２には、テキスト情報の生成に関連する画像処理部４０の詳細構成が示されている。画像処理部４０は、スルー画処理部４２、テキスト情報生成部４４、保存画処理部４８等を有する。
【００３４】
スルー画処理部４２は、撮像部１２で生成されたスルー画に対して、必要に応じてデータ圧縮等の処理を行い、カメラ制御部２０の表示コントロール部２１に出力する。また、スルー画処理部４２は、テキスト情報生成部４４からの求めに応じて、スルー画を出力する。
【００３５】
テキスト情報生成部４４は、スルー画に関連するテキスト及びテキストの表示態様等に関する情報を含むテキスト情報を生成する。テキスト情報生成部４４は、画像解析部４５、文作成部４６及び表示条件部４７を有する。
【００３６】
画像解析部４５は、スルー画を解析し、スルー画の代表色やスルー画に写っている人の数及び人の表情など、スルー画の特徴を抽出する。また、画像解析部４５は、撮像装置１０の位置情報や、現在時刻など、スルー画に関連する情報を、取得することができる。
【００３７】
文作成部４６は、画像解析部４５によって抽出されたスルー画の特徴や、スルー画に関連する情報を用いて、スルー画から連想される言葉を推定し、スルー画に関連するテキストを作成する。例えば、文作成部４６は、空欄を有する文章テンプレート等を使用して、文章テンプレートの空欄に、スルー画の特徴に関連する単語を当てはめることにより、テキストを作成することができる。また、文作成部４６によって作成されるテキストの長さは、特に限定されず、テキストは、１つの単語や１つの文字で構成されていても良い。なお、文作成部４６は、１つのスルー画から１つのテキストを生成しても良いが、１つのスルー画から、互いに異なる文字群によって構成される複数のテキストを生成しても良い。文作成部４６が複数のテキストを算出した場合、テキスト情報生成部４４によって生成されたテキスト情報には、複数のテキストが含まれる。
【００３８】
表示条件部４７は、文作成部４６で作成されたテキストの表示の態様（テキスト表示態様）を算出する。表示条件部４７は、スルー画若しくはその後に取得される保存画に重ねてテキストを表示する場合において、画像（スルー画若しくは保存画）及びテキストが良好に視認できるように、テキスト表示態様を算出することができる。
【００３９】
例えば、表示条件部４７は、テキストを表示する際の字体（フォント）、文字のサイズ、文字の色、表示位置等を算出する。この場合、表示条件部４７は、文作成部４６で作成されたテキストだけでなく、画像解析部４５によって抽出・取得されたスルー画に関する情報を用いて、テキスト表示態様を算出することができる。また、表示条件部４７は、１つのテキストについて１つのテキスト表示態様を算出しても良いが、１つのテキストについて、互いに異なる複数のテキスト表示態様を算出しても良い。表示条件部４７が複数のテキスト表示態様を算出した場合、テキスト情報生成部４４によって生成されたテキスト情報には、複数のテキスト表示態様が含まれる。
【００４０】
テキスト情報生成部４４で生成されたテキスト情報は、カメラ制御部２０の表示コントロール部２１に出力される。表示コントロール部２１は、スルー画とテキスト情報に基づき、ファインダー表示部としての表示部２６の表示状態を決定する。この場合、表示コントロール部２１は、表示部２６の表示状態を、テキストがスルー画に重ねて表示されるテキスト表示状態と、テキストが表示されないテキスト非表示状態に切り換えることができる。また、テキスト情報生成部４４で生成されたテキスト情報は、保存画処理部４８にも出力される。
【００４１】
保存画処理部４８は、撮像部１２で生成された保存画に対して、必要に応じてデータ圧縮処理を行ったのち、保存画をメモリカード３４に保存する。また、保存画処理部４８は、保存画の取得直前にテキスト情報生成部４４で生成されたテキスト情報など、保存画に関連する情報を取得して、これをメモリカード３４の保存画に関連付けて保存することができる。
【００４２】
さらに、保存画処理部４８は、テキスト情報生成部４４で生成されたテキスト情報を保存する場合、レリーズスイッチ３１からレリーズ開始信号が入力された時における表示部２６の表示状態に関する情報を、表示コントロール部２１から受信する。保存画処理部４８は、レリーズ開始信号入力時における表示部２６の表示状態に応じて、保存画とテキスト等のテキスト情報との関連付けを変更することができる。
【００４３】
例えば、保存画処理部４８は、レリーズ開始信号入力時における表示部２６の表示状態が、テキストがスルー画に重ねて表示されるテキスト表示状態であった場合、そのテキストを保存画と共に保存ファイル（Ｅｘｉｆファイル等）に保存する。さらに、保存画処理部４８は、撮像装置１０等で保存画を再生する際に、テキストを保存画に重ねて表示する旨の情報を、保存ファイルに付加しても良い。
【００４４】
これに対して、保存画処理部４８は、レリーズ開始信号入力時における表示部２６の表示状態が、テキストが表示部２６に表示されないテキスト非表示状態であった場合、そのテキストを保存しないか、あるいは、保存画を再生する際にテキストを重ねて表示する旨の情報を付加せずに、そのテキストを保存ファイルに保存する。
【００４５】
以下に、図３〜図１７を用いて、図１及び図２に示す撮像装置１０における撮像処理を、実施例１〜実施例３として説明する具体例を挙げつつ説明を行うが、撮像装置１０で行われる撮像処理は、これらに限定されない。
【００４６】
実施例１
図３は、図１及び図２に示す撮像装置１０で行われる撮像処理の一例を表すフローチャートである。図３に示すステップＳ００１では、カメラ制御部２０が一連の撮像処理を開始する。カメラ制御部２０は、例えば撮像装置１０の電源が投入されたタイミングや、操作部２４に含まれるメニュースイッチが撮影モードに設定されたタイミングで、撮像処理を開始する。
【００４７】
ステップＳ００２では、図２に示すカメラ制御部２０における撮像制御部２９からの制御信号を受け、撮像部１２及びスルー画処理部４２が、スルー画の生成を開始する。撮像制御部２９は、例えば撮像処理が開始された直後に、撮像部１２に、スルー画の生成を開始させることができる。
【００４８】
図４は、撮像装置１０で行われるスルー画の生成処理の一例を表すフローチャートである。図４に示すように、スルー画の生成が開始されると（図３のステップＳ００２）、撮像部１２及びスルー画処理部４２が、スルー画を生成する（ステップＳ１０１）。次に、撮像部１２及びスルー画処理部４２は、生成されたスルー画を、表示コントロール部２１に送信する（ステップＳ１０２）。
【００４９】
さらに、撮像制御部２９は、レリーズ開始信号など、スルー画の生成を停止する旨の制御信号が入力されたか否かを判断し（ステップＳ１０３）、停止信号が入力されるまでの間は、予め設定されたフレームレートでスルー画の生成・送信を繰り返すように、撮像部１２及びスルー画処理部４２を制御する。また、レリーズスイッチ３１からレリーズ開始信号が入力された場合、撮像制御部２９は、スルー画の生成処理を終了するように、撮像部１２及びスルー画処理部４２を制御する（ステップＳ１０４）。なお、撮影モードから再生モードへ切り換える操作信号なども、スルー画の生成を停止する旨の制御信号である。
【００５０】
図３に示すステップＳ００３では、図２に示すテキスト情報生成部４４が、テキスト情報の生成を開始する。図１及び図３に示すカメラ制御部２０は、例えばスルー画の構図が安定した旨の情報を、構図判定部２３が取得したタイミングで、テキスト情報生成部４４にテキスト情報の生成を開始させることができる。また、テキスト情報生成部４４にテキスト情報の生成を開始させるタイミングは、手振れが安定した旨の情報を手振れ判定部２２が取得したタイミングや、フォーカス位置を決定する旨の情報（フォーカス位置固定信号）をカメラ制御部２０が取得したタイミングであっても良い。
【００５１】
図５は、撮像装置１０で行われるテキスト情報の生成処理の一例を表すフローチャートである。図５に示すように、テキスト情報の生成処理が開始されると（図３のステップＳ００３）、テキスト情報生成部４４は、スルー画処理部４２からスルー画を取得する（ステップＳ２０１）。図７は、実施例１における表示部４２の表示状態６０〜６３を表したものであり、図の左から右へ向かう矢印が、時間の流れを示している。図４における表示状態６０は、図５に示すステップＳ２０１時点における表示部２６の表示状態６０であり、表示状態６０で表示されているスルー画６０ａが、ステップＳ２０１において、テキスト情報生成部４４が取得したスルー画に相当する。
【００５２】
スルー画６０ａを取得したテキスト情報生成部４４では、画像解析部４５及び文作成部４６により、スルー画６０ａに関連するテキストが生成される（ステップＳ２０２）。また、テキスト情報生成部４４では、表示条件部４７により、文作成部４６で生成されたテキストの表示の態様（テキスト表示態様）が算出される（ステップＳ２０３）。さらに、テキスト情報生成部４４は、テキスト及びテキスト表示態様を含むテキスト情報を、カメラ制御部２０の表示コントロール部２１に出力する（ステップＳ２０４）。
【００５３】
図８は、テキスト情報生成部４４が、スルー画６０ａに基づいて生成したテキスト情報５０（実施例１）を表す概念図である。テキスト情報５０は、サイクル表示の変数Ｎ（１〜５）に対応する５種類のテキスト表示を含んでいる。テキスト表示は、表示部２６にテキストを表示するか否かを表す「表示／非表示」の項目と、表示部２６に表示するテキストを表す「テキスト」の項目と、表示部２６にテキストを表示する際の表示態様を表す「表示態様」の項目を有している。なお、実施例１では、テキスト情報生成部４４は、１つのスルー画６０ａから、１つのテキスト「みんな  良い表情！」を生成している。また、実施例１では、テキスト情報生成部４４は、１つのテキスト「みんな  良い表情！」に対して、「フォント」、「色」、「表示位置」が異なる２つの表示態様を算出している。
【００５４】
図５に示すように、表示コントロール部２１にテキスト情報５０を出力した後、テキスト情報生成部４４は、テキストの生成を停止するか否か（ステップＳ２０５）及び、テキスト情報５０を再生成すべきか否か（ステップＳ２０６）の判断を、所定の周期で繰り返す。ステップＳ２０５において、テキスト情報生成部４４は、例えばレリーズスイッチ３１からレリーズ開始信号が入力された旨の情報を得た場合、テキストの生成処理を終了する（ステップＳ２０７）。また、ステップＳ２０６において、テキスト情報生成部４４は、カメラ制御部２０の構図判定部２３によってスルー画の構図が変化した旨の情報が取得された場合、ステップＳ２０１へ戻り、テキスト情報の生成をやり直す。なお、ステップＳ２０６において、テキスト情報生成部４４は、フォーカス状態が変化した旨の情報が取得された場合や、手振れの状態が変化した旨の情報が取得された場合に、テキスト情報の生成をやり直しても良い。
【００５５】
図６は、テキスト情報生成部４４からテキスト情報を受信した表示コントロール部２１における処理の一例を表すフローチャートである。表示コントロール部２１は、図２に示すように、スルー画処理部４２からスルー画を受信し、テキスト情報生成部４４からテキスト情報を受信し、スルー画及びテキスト情報に基づいて、表示部２６の表示状態を制御する。図６は、表示コントロール部２１によるテキスト情報の処理を示したものであり、表示コントロール部２１によるスルー画の表示処理は、図６に示す処理と平行して実施される。
【００５６】
図６のステップＳ３０１では、表示コントロール部２１が、テキスト情報の処理を開始する。表示コントロール部２１は、例えば撮像部１２及びスルー画処理部４２がスルー画の生成を開始したタイミング（図３のステップＳ００２）や、テキスト情報生成部４４がテキストの生成を開始したタイミング（図３のステップＳ００３）で、テキスト情報の処理を開始することができる。
【００５７】
ステップＳ３０２では、表示コントロール部２１が、テキスト情報生成部４４からテキスト情報を受信する。実施例１では、表示コントロール部２１は、テキスト情報生成部４４がスルー画６０ａ（図７参照）に基づき生成したテキスト情報５０（図８）を受信する。ステップＳ３０３では、表示コントロール部２１が、テキスト情報５０に基づき、表示部２６に対するテキスト表示を決定する。直前のステップＳ３０２で、図８に示すテキスト情報５０を受信した表示コントロール部２１は、変数Ｎ（１）に対応するテキスト表示６１ｂを、表示部２６に対するテキスト表示とする。
【００５８】
図６に示すステップＳ３０４では、表示コントロール部２１が、表示部２６にテキスト表示６１ｂを出力する。これにより、図７の左から２番目に示すように、表示部２６の表示状態６１は、スルー画６１ａとテキスト表示６１ｂが合成された状態となり、テキスト「みんな  いい表情！」がスルー画６１ａに重ねて表示される。図６に示すステップＳ３０５では、表示コントロール部２１は、サイクル表示に用いる変数Ｎをインクリメントする。
【００５９】
ステップＳ３０６では、表示コントロール部２１は、レリーズ開始信号など、スルー画及びテキストの表示を停止する旨の制御信号が入力されたか否かを判断し、このような制御信号が入力された場合は、テキスト情報の処理を終了する（ステップＳ３０７）。これに対して、スルー画及びテキストの表示を停止する旨の制御信号が入力されていない場合は、表示コントロール部２１は、ステップＳ３０２〜Ｓ３０６の処理を繰り返す。
【００６０】
ステップＳ３０６からステップＳ３０２（２回目）へ戻った場合、表示コントロール部２１は、テキスト情報受信処理を実施し、テキスト情報生成部４４から新たなテキスト情報を受信しない場合は、そのままステップＳ３０３（２回目）へ進む。実施例１では、２回目以降のステップＳ３０２で、新たなテキスト情報を受信しない場合について説明するが、ステップＳ３０２（２回目）で新たなテキスト情報を受信する場合については、実施例３で説明する。
【００６１】
ステップＳ３０３（２回目）では、表示コントロール部２１は、図８に示すテキスト情報５０及びサイクル表示の変数Ｎに基づき、変数Ｎ（２）に対応するテキスト表示６２ｂを、表示部２６に対するテキスト表示とする。そして、ステップＳ３０４（２回目）では、表示コントロール部２１が、表示部２６にテキスト表示６２ｂを出力する。テキスト表示６２ｂにおける「表示／非表示」の項目は、図８に示すように「非表示」であるため、表示部２６の表示状態６２は、図７の左から３番目に示すようにスルー画６２ａのみが表示された状態となり、テキストは表示部２６には表示されない。
【００６２】
さらに、ステップＳ３０３（３回目）では、表示コントロール部２１は、図８に示すテキスト情報５０及びサイクル表示の変数Ｎに基づき、変数Ｎ（３）に対応するテキスト表示６３ｂを、表示部２６に対するテキスト表示とする。ステップＳ３０４（３回目）では、表示コントロール部２１が、表示部２６にテキスト表示６３ｂを出力する。これにより、図７の一番右に示すように、表示部２６の表示状態６３は、スルー画６３ａとテキスト表示６３ｂが合成された状態となり、テキスト「みんな  いい表情！」がスルー画６３ａに重ねて表示される。ただし、表示状態６３におけるテキスト「みんな  いい表情！」の表示態様は、表示状態６１における表示態様とは、フォント、色、表示位置等が異なっている（図７及び図８参照）。
【００６３】
このように、表示コントロール部２１は、図３に示すスルー画生成開始（ステップＳ００２）以降、保存画取得（ステップＳ００４）が開始されるまでの間、図７に示すように、テキストがスルー画に重ねて表示されるテキスト表示状態（表示状態６１，６３）と、テキストが表示されないテキスト非表示状態（表示状態６２）に切り換えながら、表示部２６を制御する。テキスト表示状態とテキスト非表示状態の切り換え周期は、特に限定されず、例えば１〜２秒程度とすることができる。また、テキスト表示状態の時間長さと、テキスト非表示状態の時間長さは同一であっても良いが、テキストの付与を容易にするために、テキスト表示状態の時間長さが、テキスト非表示状態の時間長さより、長く設定されていても良い。
【００６４】
図３に示すステップＳ００４では、撮像装置１０が、保存画（静止画）の取得を開始する。撮像装置１０は、例えば操作者がレリーズスイッチ３１を全押しし、レリーズ開始信号がカメラ制御部２０に入力されることにより、保存画の取得を開始する。ステップＳ００４では、図２に示す撮像制御部２９が、撮像部１２に制御信号を送り、スルー画の取得を終了するとともに（図４のステップＳ１０３，Ｓ１０４）、撮像部１２に保存画の生成を開始させる。撮像部１２は、生成した保存画を、保存画処理部４８に出力する。なお、レリーズ開始信号がカメラ制御部に入力されることにより、テキスト情報生成部４４によるテキスト情報の生成処理や（図５のステップＳ２０５，Ｓ２０７）、表示コントロール部２１によるテキスト表示処理も終了する（図６のステップＳ３０６，Ｓ３０７）。
【００６５】
図３のステップＳ００５では、画像処理部４０の保存画処理部４８が、撮像部１２によって生成された保存画に対して、必要に応じて圧縮・変換等の処理を行い、保存画をＥｘｉｆ等の画像ファイルとして保存する。保存画処理部４８は、テキスト情報生成部４４から、保存画の生成前においてスルー画から生成されたテキスト情報５０（図８参照）を受け取るとともに、レリーズ開始信号がカメラ制御部２０に入力されたタイミングにおける表示部２６の表示状態に関する情報を、表示コントロール部２１から受け取る。
【００６６】
保存画処理部４８は、テキスト情報生成部４４から受け取った、テキスト情報５０を、保存画に関連付けてメモリカード３４に記憶させることができる。テキスト情報５０の保存態様は特に限定されないが、保存画のファイル形式がＥｘｉｆである場合、保存画処理部４８は、Ｅｘｉｆのメーカーノート部にテキストを保存することができる。ここで、保存画処理部４８は、レリーズ開始信号が入力されたタイミングにおける表示部２６の表示状態に応じて、スルー画とともに表示部２６に表示されていたテキストと、保存画との関連づけを変更する。
【００６７】
図９及び図１０は、実施例１に係る撮像処理によって保存される保存画６４，６７（図９（ａ），図１０（ａ））、保存画６４に関連づけて保存されるテキスト情報（保存テキスト情報６５，６８）（図９（ｂ），図１０（ｂ））及びこれらを含む画像ファイルの再生表示６６，６９（図９（ｃ），図１０（ｃ））を表す概念図である。レリーズ開始信号がカメラ制御部２０に入力されたとき、表示部２６の表示状態が図７の表示状態６３（右から１番目、テキスト表示状態）であった場合、保存画処理部４８は、図９に示すように、保存画６４とともに、テキスト表示６３ｂに関するテキスト「みんな  いい表情！」及びその表示態様「フォント：ポップ、色：白、表示位置：ｘ２，ｙ２，ｚ２」（図８参照）を、保存テキスト情報６５として保存する。この場合、カメラ制御部２０及び画像処理部４０は、画像ファイルを表示部２６に再生表示させる際、再生表示６６のように、所定の表示態様のテキストと保存画とを重ね合わせて表示させることができる。
【００６８】
また、レリーズ開始信号がカメラ制御部２０に入力されたとき、表示部２６の表示状態が図７の表示状態６２（左から３番目、テキスト非表示状態）であった場合、保存画処理部４８は、図１０に示すように、保存画６７とテキスト情報５０とを関連付けないで、保存画６７のみを画像ファイルに保存する。この場合、保存テキスト情報６８はブランクとなり、カメラ制御部２０及び画像処理部４０は、画像ファイルを表示部２６に再生表示させる際、再生表示６９のように、保存画のみを表示させることができる。
【００６９】
実施例１で説明したように、表示コントロール部２１は、図８に示すテキスト情報５０を用いて表示部２６を制御することにより、図７に示すように、表示部２６の表示状態を、テキストがスルー画に重ねて表示されるテキスト表示状態（表示状態６１，６３）と、テキストが表示されないテキスト非表示状態（表示状態６２）に、切り換えることが可能である。また、表示コントロール部２１は、複数の表示態様を有するテキスト情報５０を用いて表示部２６を制御することにより、互いに異なる複数のテキスト表示態様で、テキストをスルー画に重ねて表示することができる。
【００７０】
さらに、保存画処理部４８が、レリーズ時における表示部２６の表示状態に応じて、テキストと保存画との関連づけを変更することにより、撮像装置１０は、撮影者に対して、画像にテキストを付与するか否かについて、若しくは、画像に付与するテキストの内容及び表示態様について、選択肢を与えることができる。したがって、撮像装置１０は、撮影者の好みにあったテキストを、画像に対して容易に付与することができる。また、テキスト表示状態とテキスト非表示状態とが交互に切り換えられるため、撮影者は、表示部２６がテキスト非表示状態の時にレリーズすることにより、テキストが付与されていない画像も自在に取得することができる。
【００７１】
実施例２
図１１は、実施例２における表示部２６（図２参照）の表示状態７０〜７３を表したものであり、図７と同様に、図の左から右へ向かう矢印が、時間の流れを示している。実施例２に係る撮像処理は、スルー画及びスルー画から生成されるテキスト情報と、撮像処理によって生成される画像ファイルについては実施例１と異なるが、撮像装置１０で行われる基本的な処理は実施例１と同様であるため、実施例１との相違点のみを説明する。
【００７２】
実施例２において、図２に示すテキスト情報生成部４４は、図１１に示す表示状態７０のスルー画７０ａを取得し（図５のステップＳ２０１）、スルー画７０ａからテキスト及びテキストの表示態様を生成する（図５のステップＳ２０２及びステップＳ２０３）。図１２は、テキスト情報生成部４４が、スルー画７０ａに基づいて生成したテキスト情報５２（実施例２）を表す概念図である。実施例２において、テキスト情報生成部４４は、「さわやかだなあ・・」と「夏の日の風景」の２つのテキストを生成しており、テキスト情報５２には、互いに異なる文字群によって構成される２つのテキストが含まれる。また、それぞれのテキストには、別個の表示態様が算出されている。
【００７３】
図１２に示すテキスト情報５２を受信した表示コントロール部２１（図２参照）は、テキスト情報５２に基づき表示部２６に対するテキスト表示を決定する（図６のステップＳ３０２，Ｓ３０３）。テキスト情報５２を受信した直後のステップＳ３０３では、表示コントロール部２１は、変数Ｎ（１）に対応するテキスト表示７１ｂ（図１２参照）を、表示部２６に対するテキスト表示とする。さらに、表示コントロール部２１が表示部２６にテキスト表示７１ｂを出力し（図６のステップＳ３０４）、図１１の左から２番目に示すように、表示部２６の表示状態７１は、スルー画７１ａとテキスト表示７１ｂが合成された状態となる。表示状態７１では、テキスト「さわやかだなあ・・」が、スルー画７１ａに重ねて表示されている。
【００７４】
２回目のステップＳ３０３では、表示コントロール部２１は、変数Ｎ（２）に対応するテキスト表示７２ｂ（図１２参照）を、表示部２６に対するテキスト表示とする。さらに、ステップＳ３０４（２回目）では、表示コントロール部２１が、テキスト表示７２ｂを表示部２６に出力することにより、表示部２６の表示状態７２は、図１１の左から３番目に示すように、スルー画７２ａのみが表示された状態となる。
【００７５】
さらに、ステップＳ３０３（３回目）では、表示コントロール部２１は、変数Ｎ（３）に対応するテキスト表示７３ｂ（図１２参照）を、表示部２６に対するテキスト表示とする。さらに、ステップＳ３０４（３回目）では、表示コントロール部２１が、テキスト表示７３ｂを表示部２６に出力することにより、表示部２６の表示状態７３は、スルー画７３ａとテキスト表示７３ｂが合成された状態となり、テキスト「夏の日の風景」がスルー画７３ａに重ねて表示される。
【００７６】
このように、テキスト情報生成部４４は、互いに異なる文字群によって構成されるテキスト「さわやかだなあ・・」とテキスト「夏の日の風景」を含み、表示コントロール部２１は、テキスト「さわやかだなあ・・」がスルー画７１ａに重ねて表示される表示状態７１と、テキスト「夏の日の風景」がスルー画７３ａに重ねて表示される表示状態７３に、表示部２６の表示態様を切り換え可能である。
【００７７】
図１３は、実施例２に係る撮像処理によって保存される保存画７４（図１３（ａ））と、保存画７４に関連づけて保存される保存テキスト情報７５（図１３（ｂ））を表している。レリーズ開始信号が入力されて保存画の取得が開始されるとき（図３のステップＳ００４）、表示部２６の表示状態が、図１１の表示状態７３（右から１番目）であった場合、保存画処理部４８は、図１３（ｂ）に示すように、保存テキスト情報７５を、保存画７４に関連付けて、メモリカード３４に保存する。保存テキスト情報７５は、テキスト「夏の日の風景」及びその表示態様を含む第１保存テキスト情報７５ａと、テキスト「さわやかだなあ・・」及びその表示態様を含む第２保存テキスト情報７５ｂとを有する。
【００７８】
図１４（ａ）及び図１４（ｂ）は、図１３に示す保存画７４及び保存テキスト情報７５を含む画像ファイルの再生表示７６，７７を表している。撮像装置１０におけるカメラ制御部２０は、画像ファイルを再生表示する際に保存画７４に重ねて表示するテキスト情報として、第１保存テキスト情報７５ａを第２保存テキスト情報７５ｂより優先して採用する。したがって、カメラ制御部２０は、何らかの条件が付加されない限り、保存画７４に重ねて表示するテキスト情報として第１保存テキスト情報７５ａを採用し、図１４（ａ）に示すように、テキスト「夏の日の風景」を、保存画に重ねて表示する。しかし、例えば操作者によってテキストを変更する旨の情報が入力されたような場合は、カメラ制御部２０は、保存画７４に重ねて表示するテキスト情報として第２保存テキスト情報７５ｂを採用し、図１４（ｂ）に示すように、テキスト「さわやかだなあ・・」を、保存画に重ねて表示することができる。
【００７９】
このように、保存画処理部４８は、レリーズ開始時に表示されていたテキスト「夏の日の風景」を、再生時に優先して表示される第１保存テキスト情報７５ａとして保存し、レリーズ開始時に表示されていなかったテキスト「さわやかだなあ・・」を第２保存テキスト情報として保存することができる。これにより、撮像装置１０は、複数のテキスト情報を、撮影者の選択に対応した優先度を付与しつつ、保存画に関連づけすることができる。したがって、撮像装置１０は、撮影者の好みに適応しており、かつ多様性を有する再生表示が可能である。
【００８０】
実施例３
図１５は、実施例３における表示部２６（図２参照）の表示状態８０〜８４を表したものであり、表示状態８０から表示状態８４まで、表示部２６の表示状態が更新されている様子を表している。実施例３に係る撮像処理は、スルー画及びスルー画から生成されるテキスト情報と、撮像処理によって生成される画像ファイルが異なるが、撮像装置１０で行われる基本的な処理は実施例１と同様であるため、実施例１との相違点のみを説明する。
【００８１】
実施例３において、図２に示すテキスト情報生成部４４は、図１５に示す表示状態８０のスルー画８０ａを取得し（図５のステップＳ２０１）、スルー画８０ａからテキスト及びテキストの表示態様を生成する（図５のステップＳ２０２及びステップＳ２０３）。図１５に示すテキスト情報５４は、テキスト生成部４４が、スルー画８０ａに基づいて生成したものである。スルー画８０ａに基づいて生成されたテキスト情報５４には、テキスト「夏の日の風景」及びその表示態様が含まれる。なお、実施例３で生成されるテキスト情報５４等には、光学系の焦点距離や、構図の座標のような、構図情報が含まれる。
【００８２】
図１６に示すテキスト情報５４を受信した表示コントロール部２１（図２参照）は、テキスト情報５４に基づき表示部２６に対するテキスト表示を決定する（図６のステップＳ３０２，Ｓ３０３）。テキスト情報５４を受信した直後のステップＳ３０３では、表示コントロール部２１は、変数Ｎ（１）に対応するテキスト表示８１ｂ（図１６参照）を、表示部２６に対するテキスト表示とする。さらに、表示コントロール部２１が表示部２６にテキスト表示８１ｂを出力し（図６のステップＳ３０４）、図１５における上段の左から２番目に示すように、表示部２６の表示状態８１は、スルー画８１ａとテキスト表示８１ｂが合成された状態となる。表示状態８１では、テキスト「夏の日の風景」が、スルー画８１ａに重ねて表示されている。
【００８３】
その後、実施例３では、図１５における上段の右から１番目の表示状態８２に示すように、撮影者が構図を広角側に変更している。これにより、図２に示すテキスト情報生成部４４は、スルー画の構図が変化した旨の情報を、構図判定部２３（図１参照）を介して取得し、テキスト情報の生成をやり直す（図５のステップＳ２０６）。テキスト情報生成部４４は、ステップＳ２０６から戻ったステップＳ２０１で、構図が変化した後のスルー画８２ａを取得し、新たなテキスト情報を生成する（ステップＳ２０２，Ｓ２０３）。ここで、テキスト情報生成部４４は、図１６に示すテキスト情報５６のように、テキストを含まず、「表示／非表示」の項目が「非表示」であるテキスト表示８２ｂのみを含むテキスト情報を、生成することができる。構図が安定しない状態では、生成されるテキストとスルー画とのマッチングが難しいからである。テキスト情報生成部４４は、生成したテキスト情報５６を、表示コントロール部２１に出力する（ステップＳ２０４）。
【００８４】
表示コントロール部２１は、図６に示すステップＳ３０２において、新たなテキスト情報であるテキスト情報５６を受信するため、サイクル表示の変数Ｎを（Ｎ＝１）にリセットしたのち、テキスト表示を決定する（ステップＳ３０３）。さらに、表示コントロール部２１は、決定したテキスト表示８２ｂを、表示部２６に出力する（ステップＳ３０４）。テキスト表示８２ｂにおける「表示／非表示」の項目は、図１６に示すように「非表示」であるため、表示部２６の表示状態８２は、図１５における上段の右から１番目に示すように、テキストが表示されない状態となる。
【００８５】
その後、実施例３では、図１５における下段の左から１番目の表示状態８３に示すように、撮影者が構図をさらに広角側に変更している。これにより、図２に示すテキスト情報生成部４４は、テキスト情報の生成を再度やり直す（図５のステップＳ２０６）。テキスト情報生成部４４は、ステップＳ２０６から再度戻ったステップＳ２０１で、構図が変化した後のスルー画８３ａを取得し、新たなテキスト情報を生成する（ステップＳ２０２，Ｓ２０３）。ここで、テキスト情報生成部４４は、カメラ制御部２０の構図判定部２３から、構図が安定している旨の情報を得ることにより、図１６に示すテキスト情報５８のように、テキスト「すがすがしい・・」を有するテキスト情報５８を、生成することができる。テキスト情報生成部４４は、生成したテキスト情報５８を、表示コントロール部２１に出力する（ステップＳ２０４）。
【００８６】
表示コントロール部２１は、先に述べた場合と同様に、図６に示すステップＳ３０２において、新たなテキスト情報であるテキスト情報５８を受信するため、サイクル表示の変数Ｎを（Ｎ＝１）にリセットしたのち、テキスト表示を決定する（ステップＳ３０３）。さらに、表示コントロール部２１は、決定したテキスト表示８４ｂを、表示部２６に出力する（ステップＳ３０４）。テキスト表示８４ｂにおける「表示／非表示」の項目は「表示」であり、「テキスト」の項目は「すがすがしい・・」である。したがって、図１５における下段の左から２番目に示すように、表示部２６の表示状態８４は、スルー画８４ａとテキスト表示８４ｂが合成された状態となり、テキスト「すがすがしい・・」がスルー画８４ａに重ねて表示される。
【００８７】
図１７は、実施例３に係る撮像処理によって保存される保存画８５（図１７（ａ））と、保存画８５に関連づけて保存される保存テキスト情報８６（図１７（ｂ））を表している。レリーズ開始時（図３のステップＳ００４）における表示部２６の表示状態が、図１５の表示状態８４（下段の左から２番目）であった場合、保存画処理部４８は、図１７（ｂ）に示すように、保存テキスト情報８６を保存画８５に関連付けて、メモリカード３４に保存する。保存テキスト情報８６は、レリーズ開始時に表示されていたテキスト「すがすがしい・・」及びその表示態様を含む第１保存テキスト情報８６ａと、レリーズ開始時とは構図変更を挟むスルー画から生成された第２保存テキスト情報８６ｂを含む。第１保存テキスト情報８６ａは、図１６に示すテキスト情報５４に対応しており、第２保存テキスト情報８６ｂは、図１６に示すテキスト情報５８に対応している。
【００８８】
第２保存テキスト情報８６ｂは、テキスト「夏の日の風景」とその表示態様に加えて、テキスト「夏の日の風景」を生成する基となったスルー画８０ａの構図情報を含む。したがって、カメラ制御部２０は、第１保存テキスト情報８６ａのテキスト「すがすがしい・・」を保存画８５に重ねて再生表示８８（図１８（ｂ））を形成し、レリーズ開始時におけるファインダー表示を再現するだけでなく、第２保存テキスト情報８６ｂの構図情報を用いて、保存画８５の一部を拡大表示するなどして図１８（ａ）に示す再生表示８７を形成し、構図探索過程におけるファインダー表示も再現することができる。また、撮像装置１０は、再生表示８７から再生表示８８へと徐々に変化させて表示することにより、スルー画の時間的な変化を模擬再生することも可能である。
【符号の説明】
【００８９】
１０…撮像装置
１２…撮像部
１４…光学系
１６…撮像素子
１８…Ａ／Ｄ変換部
１９…振れ補正機構
２０…カメラ制御部
２１…表示コントロール部
２２…手振れ判定部
２３…構図判定部
２４…操作部
２５…角速度センサ
２６…表示部
２７…バス
２８…記憶部
２９…撮像制御部
３０…バッファメモリ部
３１…レリーズスイッチ
３２…通信部
３４…メモリカード
４０…画像処理部
４２…スルー画処理部
４４…テキスト情報生成部
４５…画像解析部
４６…文作成部
４７…表示条件部
４８…保存画処理部
５０，５２，５４，５６，５８…テキスト情報
６０〜６３，７０〜７３，８０〜８４…表示状態
６０ａ〜６３ａ，７０ａ〜７３ａ，８０ａ〜８４ａ…スルー画
６１ｂ〜６３ｂ，７１ｂ〜７３ｂ，８１ｂ，８２ｂ，８４ｂ…テキスト表示
６４，６７，７４，８５…保存画
６５，６８，７５，８６…保存テキスト情報
６６，６９，７６，７７，８７，８８…再生表示
７５ａ，８６ａ…第１保存テキスト情報
７５ｂ，８６ｂ…第２保存テキスト情報
【図１】
2014138325.tif 000003
【図２】
2014138325.tif 000004
【図３】
2014138325.tif 000005
【図４】
2014138325.tif 000006
【図５】
2014138325.tif 000007
【図６】
2014138325.tif 000008
【図７】
2014138325.tif 000009
【図８】
2014138325.tif 000010
【図９】
2014138325.tif 000011
【図１０】
2014138325.tif 000012
【図１１】
2014138325.tif 000013
【図１２】
2014138325.tif 000014
【図１３】
2014138325.tif 000015
【図１４】
2014138325.tif 000016
【図１５】
2014138325.tif 000017
【図１６】
2014138325.tif 000018
【図１７】
2014138325.tif 000019
【図１８】
2014138325.tif 000020